(57)【要約】【課題】焦点検出信号に含まれる色収差誤差の補正精度の信頼性を向上させる。【解決手段】焦点検出装置は、焦点検出光学系を介して入射した被写体からの光束を受光して焦点検出信号を出力する焦点検出センサと、焦点検出センサから出力された焦点検出信号を用いて、デフォーカス量を算出する算出手段と、焦点検出センサに入射する光束に含まれる複数の波長のうちの所定波長を基準として、複数の波長ごとの相対的な強度を示す波長分布を推定する推定手段と、焦点検出光学系の波長特性と、焦点検出センサが有する、所定波長を基準とした相対的な感度特性とが記憶された記憶手段と、波長特性と、相対的な感度特性と、推定手段により推定された波長分布とに基づいて、焦点検出光学系の色収差に起因して、算出手段により算出されたデフォーカス量に含まれる誤差を補正するための補正値を算出して、補正値を用いて誤差を補正する補正手段とを備える。【選択図】図１
2012230329.tif 000002
【特許請求の範囲】
【請求項１】
焦点検出光学系を介して入射した被写体からの光束を受光して焦点検出信号を出力する焦点検出センサと、
前記焦点検出センサから出力された前記焦点検出信号を用いて、デフォーカス量を算出する算出手段と、
前記焦点検出センサに入射する前記光束に含まれる複数の波長のうちの所定波長を基準として、前記複数の波長ごとの相対的な強度を示す波長分布を推定する推定手段と、
前記焦点検出光学系の波長特性と、前記焦点検出センサが有する、前記所定波長を基準とした相対的な感度特性とが記憶された記憶手段と、
前記波長特性と、前記相対的な感度特性と、前記推定手段により推定された前記波長分布とに基づいて、前記焦点検出光学系の色収差に起因して、前記算出手段により算出された前記デフォーカス量に含まれる誤差を補正するための補正値を算出して、前記補正値を用いて前記誤差を補正する補正手段とを備えることを特徴とする焦点検出装置。
【請求項２】
請求項１に記載の焦点検出装置において、
前記補正手段は、前記推定手段により推定された前記波長分布をＷｉとし、前記焦点検出光学系の波長特性をＤｉとし、前記相対的な感度特性をＧｉとし、前記補正値をＨとして表すとき、前記補正値Ｈを、
Ｈ＝Σ（Ｄｉ・Ｇｉ・Ｗｉ）／Σ（Ｇｉ・Ｗｉ）
によって表される式を用いて算出することを特徴とする焦点検出装置。
【請求項３】
請求項１または２に記載の焦点検出装置において、
撮影光学系を介して入射した被写体からの光束を受光して画像信号を出力する受光センサをさらに備え、
前記推定手段は、前記受光センサから出力された前記画像信号を用いて、前記波長分布を推定することを特徴とする焦点検出装置。
【発明の詳細な説明】
【技術分野】
【０００１】
本発明は、焦点検出装置に関する。
【背景技術】
【０００２】
従来から、色収差に起因する焦点検出誤差を補正するカメラが知られている（たとえば特許文献１）。
【先行技術文献】
【特許文献】
【０００３】
【特許文献１】特開２０００−２６６９８８号公報
【発明の概要】
【発明が解決しようとする課題】
【０００４】
しかしながら、撮影用の撮像素子からの出力により取得した撮影画面の色情報を用いて補正値を算出しているので、色収差誤差の補正精度の信頼性が低いという問題がある。
【課題を解決するための手段】
【０００５】
請求項１に記載の発明による焦点検出装置は、焦点検出光学系を介して入射した被写体からの光束を受光して焦点検出信号を出力する焦点検出センサと、焦点検出センサから出力された焦点検出信号を用いて、デフォーカス量を算出する算出手段と、焦点検出センサに入射する光束に含まれる複数の波長のうちの所定波長を基準として、複数の波長ごとの相対的な強度を示す波長分布を推定する推定手段と、焦点検出光学系の波長特性と、焦点検出センサが有する、所定波長を基準とした相対的な感度特性とが記憶された記憶手段と、波長特性と、相対的な感度特性と、推定手段により推定された波長分布とに基づいて、焦点検出光学系の色収差に起因して、算出手段により算出されたデフォーカス量に含まれる誤差を補正するための補正値を算出して、補正値を用いて誤差を補正する補正手段とを備えることを特徴とする。
【発明の効果】
【０００６】
本発明によれば、焦点検出光学系の波長特性と、焦点検出センサの相対的な感度特性と、被写体光束の波長分布とに基づいて、デフォーカス量に含まれる焦点検出光学系の色収差に起因する誤差を補正することができる。
【図面の簡単な説明】
【０００７】
【図１】本発明の実施の形態によるカメラの要部構成を示す概要図
【図２】焦点検出部の構成を示す概要斜視図
【図３】位相差検出方式による焦点検出の原理を説明する図
【図４】焦点検出部の光学系の色収差を説明する図
【図５】分割測光部のセルについて説明する図
【図６】被写体光束に含まれる波長と、デフォーカスずれ量と、分光感度特性と、波長分布との関係を示す図
【図７】実施の形態のカメラの動作を説明するフローチャート
【発明を実施するための形態】
【０００８】
以下、図面に基づいて本発明の実施の形態を詳細に説明する。
（実施の形態の構成）
図１は、本発明の実施の形態のカメラの概要図である。実施の形態によるカメラは、撮影レンズ本体１００と、撮影レンズ本体１００を交換可能に取り付けたカメラ本体２００とから構成される。
【０００９】
撮影レンズ本体１００は、複数のレンズを組み合わせてなる撮影レンズ系１と、絞り２と、撮影レンズ系１を駆動させる駆動機構３と、デフォーカス量とレンズ駆動量との対応関係などの情報を記憶したレンズデータ部４とを有している。カメラ本体２００は、撮影機構と、焦点検出部５と、分割測光部６と、ルックアップテーブル（ＬＵＴ）７と、駆動モータ８と、カメラ本体２００の各部を演算制御するボディマイコン９を内蔵している。またカメラ本体２００の撮影レンズ本体１００の接続部には、駆動モータ８の回転を駆動機構３に伝動し、またレンズデータ部４とボディマイコン９とを信号接続するためのカップリング部１０が設けられている。
【００１０】
カメラ本体２００の撮影機構は、シャッタ１１と、撮像素子１２と、クイックリターンミラー１３と、拡散スクリーン１４と、コンデンサレンズ１５と、ペンタプリズム１６と、接眼レンズ１７と、測光用プリズム１８と、測光用レンズ１９と、クイックリターンミラー１３の背面に配置されたサブミラー２０とから構成されている。クイックリターンミラー１３は、シャッタ１１および撮像素子１２の前方に傾斜配置され、レリーズ時には跳ね上げられて撮影光路から待避するようになっている。通常時には、撮影レンズ系１を通過した光束は、クイックリターンミラー１３によって上方に反射され、拡散スクリーン１４上に一旦結像する。その後に、コンデンサレンズ１５、ペンタプリズム１６、接眼レンズ１７を通って、撮影者の目に到達する。また、拡散スクリーン１４によって拡散された光束の一部は、コンデンサレンズ１５、ペンタプリズム１６、測光用プリズム１８、測光用レンズ１９を通って分割測光部６で再結像される。
【００１１】
さらに、クイックリターンミラー１３は一部の光を透過するハーフミラーとなっている。そして、通常時において、クイックリターンミラー１３を透過した一部の光束はサブミラー２０によって下方に屈折されて焦点検出部５に導かれる。
【００１２】
図２に示すように、焦点検出部５は、視野マスク２１と、複数のコンデンサレンズ２２と、絞りマスク２３と、複数組のセパレータレンズ２４と、ラインセンサ２５とで主要部が構成され、その出力はボディマイコン９に接続されている。この焦点検出部５は、撮影画面中に設定された複数（たとえば３箇所）の焦点検出エリアに対して焦点調整状態を検出するものであり、被写体からの光束を各焦点検出エリアに対応するコンデンサレンズ２２およびセパレータレンズ２４で分割し、ラインセンサ２５に結像させて位相差検出方式による焦点検出を行う。
【００１３】
すなわち、撮影画面中の焦点検出エリアの被写体光は撮影レンズ系１を通過して、各焦点検出エリアに対応するコンデンサレンズ２２に入射する。コンデンサレンズ２２から射出された光は、各焦点検出エリアに１対ずつ配置されたセパレータレンズ２４を通過する。そして、セパレータレンズ２４が構成する２つの像は、対応するラインセンサ２５上に結像する。ラインセンサ２５からは２つの像の光強度分布が２像間隔データ（焦点検出信号）としてボディマイコン９に出力される。なお、焦点検出部５での迷光は、視野マスク２１および絞りマスク２３によって除去される。
【００１４】
図３（ａ）に示すように、撮像面との等価面２６にピントがあった状態（合焦状態）では、ラインセンサ２５上の２像間隔Ｌ0は所定の値をとる。また、図３（ｂ）に示すように２像間隔Ｌ1が合焦状態より狭い場合は前ピンであり、図３（ｃ）に示すように２像間隔Ｌ2が合焦状態より広い場合は後ピンである。したがって、２像間隔Ｌをラインセンサ２５で検出することで、デフォーカス量Ｄｆ（合焦位置からのズレ量）を求めることができる。
【００１５】
ここで、焦点検出部５の光学系の色収差がデフォーカス量Ｄｆに与える影響を図４を用いて説明する。焦点検出部５の光学系は入射光の波長に応じて異なる屈折率を有する。すなわち、同位置から射出された被写体光であっても、入射光の波長に応じてラインセンサ２５の２像間隔Ｌは色収差で相違する。この焦点検出部５の色収差は、デフォーカス量Ｄｆの値によってそれぞれ相違する。図４に示すように、前ピンの場合には色収差は小さくなって、各波長での２像間隔Ｌの差は小さくなる。また、後ピンの場合には色収差が大きくなって、各波長での２像間隔Ｌの差が大きくなる。本発明は、この焦点検出部５の色収差によるデフォーカス量Ｄｆの誤差（色収差誤差）を補正するものである。
【００１６】
撮像素子１２は、たとえばＣＣＤやＣＭＯＳ等の光電変換素子により構成される。撮像素子１２は、ボディマイコン９の制御に応じて駆動して撮影レンズ系１を通して入力される被写体像を撮像し、撮像して得た画素信号をボディマイコン９へ出力する。
【００１７】
分割測光部６は、たとえばＣＣＤやＣＭＯＳなどの光電変換素子を配置して構成されている。分割測光部６は撮影画像を各焦点検出エリアに対応する領域に分割して測光する。図５は、分割測光部６による分割して測光する領域を示す図である。図５には、分割の一例として横１５個、縦１１個の領域（測光セル）に分割された場合を示している。なお、図５には、説明の都合上、３つの焦点検出エリアＡｒ１、Ａｒ２、Ａｒ３を重畳して示す。図５に示すように、被写界の中央部に配置された焦点検出エリアＡｒ１は、分割測光部６の複数の測光セルのうちの（７，６）、（８，６）、（９，６）の３つの測光セルに対応している。分割測光部６の各測光セルは、Ｒ（赤）、Ｇ（緑）、Ｂ（青）の３色の受光素子によって構成されており、入射光をそれぞれの色に分解して測光可能となっている。また、分割測光部６は各焦点検出エリアの測光値を色情報としてボディマイコン９に出力する。
【００１８】
ＬＵＴ７は、データ格納部とデータ読み出し部とから構成されており、ボディマイコン９と信号接続されている。ＬＵＴ７のデータ格納部には、焦点検出部５の色収差によるデフォーカス量Ｄｆの色収差誤差を補正するための、焦点検出部５の光学系の波長特性に関するデータが格納されている。ＬＵＴ７には、波長特性に関するデータとして波長ｉの光束におけるデフォーカスずれ量（基準デフォーカス量からの偏差）Ｄｉと、波長ｉの光束に対する焦点検出エリアの分光感度特性Ｇｉとが含まれる。一方、ＬＵＴ７のデータ読み出し部は、上記のデフォーカスずれ量Ｄｉと分光感度特性Ｇｉとをデータ格納部から読み出して、ボディマイコン９に出力する。
【００１９】
図６に、被写界の中央に配列された焦点検出エリアＡｒ１におけるデフォーカスずれ量Ｄｉと分光感度特性Ｇｉとの一例を示す。図６では、デフォーカスずれ量Ｄは、異なる波長ごとのデフォーカスずれの値を示している。このデフォーカスずれの値は、主波長（５４０ｎｍ（緑色））のデフォーカス量Ｄｆを基準とした値（すなわち差分値）として示される。図６においては、たとえば被写体から焦点検出エリアＡｒ１に入射した光束の波長が４５０ｎｍの場合には、同一距離の被写体から主波長の光束が入射した場合よりも、合焦状態が０．０９５ｍｍ程度前ピンになることを示している。
【００２０】
また、図６では、分光感度特性Ｇは、異なる波長ごとの分光感度特性の値を示している。各分光感度特性の値は、ラインセンサ２５が主波長（５４０ｎｍ）の光束を受光したときの分光感度特性を１．０００とした場合の比率（割合）により表されている。図６においては、たとえば被写体から焦点検出エリアＡｒ１に入射した光束の波長が４５０ｎｍの場合には、同一距離の被写体から主波長の光束が入射した場合よりも、分光感度特性が０．６３９に低下することを示している。上述したデフォーカスすれ量Ｄおよび分光感度特性Ｇは被写界の中央に配列された焦点検出エリアＡｒ１に固有の値である。すなわち、被写界の左右に配列された焦点検出エリアＡｒ２、Ａｒ３についてもそれぞれ固有のデフォーカスずれ量Ｄｉと分光感度特性Ｇｉとを有する。
【００２１】
ボディマイコン９は、図示しないＲＯＭに格納されたシーケンスプログラムに従ってカメラ本体２００の一連の動作を制御し、また公知の露出演算等を実行する。このボディマイコン９は、図示しない操作部からの入力に応じて、特定焦点検出エリア（撮影画面内の複数の焦点検出エリアＡｒ１〜Ａｒ３のうち、焦点検出を行うエリア）を選択するエリア選択手段として機能する。
【００２２】
さらに本実施の形態では、ボディマイコン９は以下の機能を有する。すなわち、第１にボディマイコン９は、分割測光部６から出力された色情報を用いて、被写体の波長分布を推定する（推定処理）。ボディマイコン９は、推定した被写体の波長分布と、ＬＵＴ７に格納された、焦点検出部５の光学系の波長特性に関するデータ（すなわち、デフォーカスずれ量Ｄｉと分光感度特性Ｇｉ）とを用いて、色収差誤差を補正するための補正値Ｈを算出する（算出処理）。ボディマイコン９は、焦点検出部５から出力された２像間隔Ｌからデフォーカス量Ｄｆを演算し、色収差誤差を含んだデフォーカス量Ｄｆを、補正値Ｈに基づいて補正して、色収差誤差を除去した補正デフォーカス量Ｄｆ_ｈを演算する（補正処理）。そして、ボディマイコン９は、レンズデータ部４に補正デフォーカス量Ｄｆ_ｈを照会してレンズ駆動量データを演算する。以下、推定処理、算出処理、補正処理について詳細に説明する。なお、以下の説明については、被写界の中央に配列された焦点検出エリアＡｒ１に対する処理を中心に行うが、左右の焦点検出エリアＡｒ２、Ａｒ３についてもボディマイコン９によって同様の処理が行われる。
【００２３】
上述したように、被写界の中央部に配置された焦点検出エリアＡｒ１は、分割測光部６の複数の測光セルのうちの（７，６）、（８，６）、（９，６）の３つの測光セルに対応している。換言すると、この３つの測光セル（７，６）、（８，６）、（９，６）に入射する光束が、焦点検出エリアＡｒ１に対応して配列されたラインセンサ２５に入射する。したがって、ボディマイコン９は、３つの測光セル（７，６）、（８，６）、（９，６）から出力された色情報（Ｒ，Ｇ，Ｂ）に基づいて、ラインセンサ２５に入射する被写体光束の波長分布を推定する。
【００２４】
まず、ボディマイコン９は、３つの測光セル（７，６）、（８，６）、（９，６）から出力された色情報（Ｒ，Ｇ，Ｂ）の平均値（Ｒｃ，Ｇｃ，Ｂｃ）を算出する。測光セル（７，６）の色情報を（Ｒ１，Ｇ１，Ｂ１）、測光セル（８，６）の色情報を（Ｒ２，Ｇ２，Ｂ２）、測光セル（９，６）の色情報を（Ｒ３，Ｇ３，Ｂ３）とすると、平均値（Ｒｃ，Ｇｃ，Ｂｃ）は以下の式（１）ように表される。
Ｒｃ＝（Ｒ１＋Ｒ２＋Ｒ３）／３
Ｇｃ＝（Ｇ１＋Ｇ２＋Ｇ３）／３
Ｂｃ＝（Ｂ１＋Ｂ２＋Ｂ３）／３    ・・・（１）
【００２５】
ボディマイコン９は、公知の技術である、カラーセンサごとに固有の色度座標系を用いて、算出した平均値（Ｒｃ，Ｇｃ，Ｂｃ）から被写体の波長分布、すなわち各波長の相対強度Ｗｉを算出する。換言すると、ボディマイコン９は、分割測光部６から出力された色情報を用いて、カラーセンサ２５に入射する被写体光束の波長分布を推定する。この色度座標系は試験等により取得されたデータに基づいて作成され、予め図示しないメモリ等に記憶されているものとする。
【００２６】
図６には、上記のようにして推定された相対強度Ｗの値の一例を示す。相対強度Ｗの値は、主波長（５４０ｎｍ）の強度（４０）を基準とした場合の相対的な光の分布を示す値である。図６に示すように、波長が３９０ｎｍの光束は相対強度が４０となり、主波長の強度と等しくなり、波長が４５０ｎｍの光束は相対強度が８０となり、主波長の強度の２倍の強度を有している。
【００２７】
ボディマイコン９は、相対強度Ｗｉが算出されると、以下の式（２）を用いて、色収差を補正するための補正値Ｈを算出する。
Ｈ＝Σ（Ｄｉ・Ｇｉ・Ｗｉ）／Σ（Ｇｉ・Ｗｉ）  ・・・（２）
【００２８】
焦点検出光学系の色収差に依存して、被写体光束に含まれる各波長のデフォーカス量Ｄｆの主波長のデフォーカス量Ｄｆに対するデフォーカスずれ量（偏差）Ｄｉは、波長ごとに異なる。また、ラインセンサ２５の分光感度特性Ｇｉも、被写体光束に含まれる各波長ごとに異なる。式（２）によれば、ラインセンサ２５の分光感度特性と被写体光束の波長分布とを加味したデフォーカスずれ量を、ラインセンサ２５の分光感度特性と被写体光束の波長分布とにより正規化することによって、被写体光束の全波長域に渡ったデフォーカスずれ量、すなわち色収差誤差が算出される。換言すると、補正値Ｈは焦点検出光学系の色収差に起因して、デフォーカス量Ｄｆに含まれる色収差誤差の値である。
【００２９】
ボディマイコン９は、焦点検出部５から出力された２像間隔Ｌからデフォーカス量Ｄｆを算出する。このデフォーカス量Ｄｆは色収差誤差が含まれている。上述したように、補正値Ｈは、色収差による検出誤差に相当する値である。したがって、ボディマイコン９は、上記のようにして算出した補正値Ｈを用いて、以下の式（３）により色収差誤差を除去した補正デフォーカス量Ｄｆ_ｈを算出する。
Ｄｆ_ｈ＝Ｄｆ−Ｈ  ・・・（３）
【００３０】
図７に示すフローチャートを用いて、実施の形態によるカメラの処理について説明する。図７の各処理はボディマイコン９でプログラムを実行して行われる。図７の各処理を行なうプログラムはメモリ（不図示）に格納されている。ユーザーは撮影画面内から焦点検出する被写体を選択して構図を決定し、この被写体が位置する焦点検出エリアを特定焦点検出エリアに決定する。そして、ボディマイコン９は、操作部からのユーザーの入力に従って特定焦点検出エリアを選択する。その後、例えば、ユーザーによるレリーズボタンの半押しなどの所定の入力があった場合、ボディマイコン９はプログラムを起動して、処理を実行する。
【００３１】
ステップＳ１においては、ラインセンサ２５から出力された２像間隔データを用いて、２像間隔Ｌおよび合焦状態の２像間隔Ｌ0から公知の演算式に基づいて特定焦点検出エリアのデフォーカス量Ｄｆが算出され、ステップＳ２へ進む。なお、このデフォーカス量Ｄｆは焦点検出部５の色収差による誤差を含むものである。
【００３２】
ステップＳ２においては、分割測光部６から出力された輝度情報および色情報（Ｒ、Ｇ、Ｂ）を入力して、特定焦点検出エリアに対応する測光セルの色情報の平均値が算出される。そして、算出された色情報の平均値と、色度座標系とに基づいて、被写体の波長分布、すなわち相対強度Ｗｉが算出されて、ステップＳ３へ進む。ステップＳ３においては、デフォーカスずれ量Ｄｉと分光感度特性Ｇｉと相対強度Ｗｉとに基づいて、上述した式（２）により補正値Ｈが算出されてステップＳ４へ進む。
【００３３】
ステップＳ４においては、ステップＳ１で算出されたデフォーカス量Ｄｆと補正値Ｈとに基づいて、上述した式（３）により補正デフォーカス量Ｄｆ_ｈが算出されてステップＳ５へ進む。ステップＳ５においては、レンズデータ部４に補正デフォーカス量Ｄｆ_ｈが照会されて情報が取り込まれ、補正デフォーカス量Ｄｆ_ｈからレンズ駆動量が算出される。算出されたレンズ駆動量は駆動モータ８に出力され、駆動モータ８の回転はカップリング部１０を経て、撮影レンズ本体１００の駆動機構３に伝達される。これにより撮影レンズ系１が合焦状態まで駆動する。
【００３４】
ステップＳ６では、ユーザーによりシャッタレリーズ操作が行われたか否かを判定する。ユーザーによるシャッタレリーズ操作が行われない場合には、ステップＳ６が否定判定されて当該判定処理を繰り返す。シャッタレリーズ操作が行われた場合には、ステップＳ６が肯定判定されてステップＳ７へ進む。そして、ステップＳ７では、クイックリターンミラー１３を跳ね上げて撮影光路から待避させ、所定のタイミングでシャッタ１１を走行させることにより、被写体像を撮像素子１２に露光させる。そして、露光終了後に、撮影光路にクイックリターンミラー１３が戻されて、カメラは次回撮影の待機状態になり、処理を終了する。
【００３５】
以上で説明した実施の形態のカメラによれば、以下の作用効果が得られる。
ラインセンサ２５は、焦点検出光学系（コンデンサレンズ２２、セパレータレンズ２４）を介して入射した被写体からの光束を受光して焦点検出信号を出力する。ボディマイコン９は、焦点検出信号を用いてデフォーカス量Ｄｆを算出する。そして、ボディマイコン９は、ラインセンサ２５に入射する被写体光束に含まれる複数の波長のうちの所定波長を基準として、複数の波長ごとの相対的な強度を示す波長分布を推定する。ＬＵＴ７は、焦点検出光学系の波長特性、すなわちデフォーカスずれ量Ｄｉと、ラインセンサ２５が有する、所定波長を基準とした相対的な感度特性とが記憶されている。そして、ボディマイコン９は、波長特性と、相対的な感度特性と、推定した波長分布とに基づいて、焦点検出光学系の色収差に起因してデフォーカス量Ｄｆに含まれる誤差を補正するための補正値Ｈを算出して、補正値Ｈを用いて色収差誤差を補正するようにした。具体的には、ボディマイコン９は、推定した波長分布をＷｉとし、焦点検出光学系の波長特性をＤｉとし、ラインセンサ２５の相対的な感度特性をＧｉとして表すとき、補正値Ｈを、Ｈ＝Σ（Ｄｉ・Ｇｉ・Ｗｉ）／Σ（Ｇｉ・Ｗｉ）によって表される式を用いて算出するようにした。
【００３６】
したがって、焦点検出エリアに入射する被写体光束の波長分布を推定し、焦点検出光学系の波長特性とラインセンサ２５の分光感度特性とを用いて焦点検出光学系の色収差による誤差を補正するので、補正精度を向上させることができる。その結果、焦点検出精度を向上させることができる。
【００３７】
また、焦点検出部５を小型にする場合、焦点検出光学系であるコンデンサレンズ２２、セパレータレンズ２４の光学的パワーを強力にする必要がある。しかし、コンデンサレンズ２２、セパレータレンズ２４の色収差の影響が増大し、デフォーカス量Ｄｆに含まれる誤差が顕著になる。しかし、本実施の形態によれば、焦点検出光学系の光学的パワーの増加により色収差の影響が増し、デフォーカス量Ｄｆに含まれる誤差が顕著となった場合であっても、補正デフォーカス量Ｄｆ_ｈを算出できる。この結果、焦点検出部５の大きさを小型化することができる。
【００３８】
また、本発明の特徴を損なわない限り、本発明は上記実施の形態に限定されるものではなく、本発明の技術的思想の範囲内で考えられるその他の形態についても、本発明の範囲内に含まれる。説明に用いた実施の形態および変形例は、それぞれを適宜組合わせて構成しても構わない。
【符号の説明】
【００３９】
５  焦点検出部、  ６  分割測光部、
７  ＬＵＴ、   ９  ボディマイコン、
２５  ラインセンサ
【図１】
2012230329.tif 000003
【図２】
2012230329.tif 000004
【図３】
2012230329.tif 000005
【図４】
2012230329.tif 000006
【図５】
2012230329.tif 000007
【図６】
2012230329.tif 000008
【図７】
2012230329.tif 000009